(57)【要約】【課題】人体に無害で軽量かつ安価な放射線遮蔽塗料及びこれを用いた塗装物を提供することである。【解決手段】本発明の放射線遮蔽塗料は、沈降性硫酸バリウムの重量比が３０％〜８０％になるように前記沈降性硫酸バリウムをバインダー樹脂に配合してなる。本発明の塗装物は、本発明の放射線遮蔽塗料を塗布した防護服、本発明の放射線遮蔽塗料を塗布した衣類、本発明の放射線遮蔽塗料を屋根及び壁に塗布した建造物、本発明の放射線遮蔽塗料を塗布した窓、本発明の放射線遮蔽塗料を塗布した雨戸、本発明の放射線遮蔽塗料を塗布したシャッタ、本発明の放射線遮蔽塗料を塗布した自動車、本発明の放射線遮蔽塗料を塗布したカーテン、本発明の放射線遮蔽塗料を塗布した機械設備等である。【選択図】なし【特許請求の範囲】
【請求項１】
沈降性硫酸バリウムの重量比が３０％〜８０％になるように前記沈降性硫酸バリウムをバインダー樹脂に配合してなる放射線遮蔽塗料。
【請求項２】
請求項１の放射線遮蔽塗料を塗布した防護服。
【請求項３】
請求項１の放射線遮蔽塗料を塗布した衣類。
【請求項４】
請求項１の放射線遮蔽塗料を屋根及び壁に塗布した建造物。
【請求項５】
請求項１の放射線遮蔽塗料を塗布した窓。
【請求項６】
請求項１の放射線遮蔽塗料を塗布した雨戸。
【請求項７】
請求項１の放射線遮蔽塗料を塗布したシャッタ。
【請求項８】
請求項１の放射線遮蔽塗料を塗布した自動車。
【請求項９】
請求項１の放射線遮蔽塗料を塗布したカーテン。
【請求項１０】
請求項１の放射線遮蔽塗料を塗布した機械設備。
【発明の詳細な説明】
【技術分野】
【０００１】
本発明は、放射線を遮蔽する放射線遮蔽塗料及びこれを用いた塗装物に関する。
【背景技術】
【０００２】
例えば、医療現場においてはＸ線を使用して人体内部の画像を得るようにしているが、Ｘ線を取り扱う医療従事者はＸ線を浴びる機会が多いことから、Ｘ線不透過性の衣類を着用しＸ線の照射量を軽減するようにしている。Ｘ線不透過性の衣類として、軽量の硫酸バリウムで含浸した織物から放射線不透過性の衣類を作製するようにしたものがある（特許文献１参照）。
【０００３】
また、原子力設備において高レベルの放射線の管理区域に立ち入るには、放射線遮蔽用の防護服を着用して入所するようにしている。放射線遮蔽用の防護服は、一般に、ガンマ線のような透過力の大きい放射線も遮蔽できように、遮蔽材として鉛やタングステンが用いられている。
【先行技術文献】
【特許文献】
【０００４】
【特許文献１】特表２００２−５３２６３４号公報
【発明の概要】
【発明が解決しようとする課題】
【０００５】
しかし、特許文献１のものでは、硫酸バリウムで含浸した織物から放射線不透過性の衣類を作製するものであるので、透過力が小さいＸ線の遮蔽は可能であるが、例えば、透過力の大きいガンマ線の遮蔽には不向きである。
【０００６】
原子力設備においては、アルファ線及びベータ線に加えて、それよりも透過力が大きいガンマ線も遮蔽する必要がある。そこで、原子力設備での放射線遮蔽用の防護服は、前述したように、遮蔽材として鉛やタングステンを用いているが、鉛は人体に有害である上に非常に重いので着用しての作業性が著しく悪くなる。また、タングステンは高価であるために防護服としての価格が高価となる。
【０００７】
本発明の目的は、人体に無害で軽量かつ安価な放射線遮蔽塗料及びこれを用いた塗装物を提供することである。
【課題を解決するための手段】
【０００８】
本発明の放射線遮蔽塗料は、沈降性硫酸バリウムの重量比が３０％〜８０％になるように前記沈降性硫酸バリウムをバインダー樹脂に配合してなる。
【０００９】
本発明の塗装物は、本発明の放射線遮蔽塗料を塗布した防護服、本発明の放射線遮蔽塗料を塗布した衣類、本発明の放射線遮蔽塗料を屋根及び壁に塗布した建造物、本発明の放射線遮蔽塗料を塗布した窓、本発明の放射線遮蔽塗料を塗布した雨戸、本発明の放射線遮蔽塗料を塗布したシャッタ、本発明の放射線遮蔽塗料を塗布した自動車、本発明の放射線遮蔽塗料を塗布したカーテン、本発明の放射線遮蔽塗料を塗布した機械設備等である。
【発明の効果】
【００１０】
本発明の放射線遮蔽塗料によれば、沈降性硫酸バリウムの重量比が３０％〜８０％になるように、大量の沈降性硫酸バリウムをバインダー樹脂に配合したので、透過力の大きいガンマ線の遮蔽も可能となる。また、本発明の防護服は、本発明の放射線遮蔽塗料を塗布したものであるので、例えば、鉛やタングステンといった遮蔽剤を使用する必要がなく、作業性が向上するだけでなく安価となる。ガンマ線遮蔽効果のない防護服に対し、本発明の放射線遮蔽塗料を用いることで、ガンマ線遮蔽効果を持たせることもできる。
【００１１】
その他、用いるバインダー樹脂の選択によって、非常に広範な対象物に対し本発明の放射線遮蔽塗料を塗布でき、その塗装物に放射線遮蔽性能を持たせることができる。
【発明を実施するための形態】
【００１２】
本発明の実施形態では、顔料としての沈降性硫酸バリウムがガンマ線遮蔽効果を有するという知見に基づき、沈降性硫酸バリウムを充填剤とした塗料を開発した。まず、化学反応で製造した沈降性硫酸バリウムを用意する。また、バインダー樹脂を用意する。バインダー樹脂は、充填剤である沈降性硫酸バリウムの結着性を向上させるとともに、塗布する基材に対する密着性を向上させるものであり、後述するように、塗布する基材に適した樹脂を用いる。
【００１３】
そして、ＰＷＣ（Pigment Weight Concentration）（顔料重量濃度）が３０〜８０％になるように、沈降性硫酸バリウムをバインダー樹脂に配合した塗料組成物を生成する。一般に、塗料は塗布の対象物を保護、美装、または独自の機能を付与するためにその表面に塗り付けるものであり、このようにして生成した塗料組成物は、放射線遮蔽の機能が付与されたものであり、この塗料組成物を本発明の放射線遮蔽塗料とする。
【００１４】
次に、本発明の放射線遮蔽塗料の塗布の対象物は、透過力の大きいガンマ線も遮蔽する必要性がある物である。例えば、原子力設備の防護服や衣類である。本発明の放射線遮蔽塗料を防護服に塗布する場合には、バインダー樹脂には柔軟な樹脂であるポリエステルポリオール等を用いる。これは、防護服を着た作業員が動いても、布地に塗布された塗膜に割れが発生しないようにするためである。
【００１５】
また、本発明の放射線遮蔽塗料の塗布の対象物は、建造物の屋根や壁、窓、雨戸、シャッタ等であり、自動車、カーテン、機械設備等である。機械設備には、工作設備や放射線（例えばガンマ線）の透過により誤動作が懸念される設備、例えば原子炉の内視鏡が含まれる。
【００１６】
本発明の放射線遮蔽塗料の塗布の対象物が建造物や機械設備等であり、その基材表面が難付着性である場合には、バインダー樹脂には、エポキシ樹脂、アクリルウレタン樹脂、またはシリコーンアクリル樹脂組成物等、基材に適した樹脂を用いる。
【００１７】
本発明の放射線遮蔽塗料は、放射線遮蔽に用いたい対象物に対して、塗料として成立する範囲の膜厚で塗布し乾燥させて塗膜にする。例えば、一度塗りなら５０〜１００μｍ程度の膜厚で塗布し乾燥させて塗膜にする。二度塗り以上の多重塗りも、塗料として成立すれば膜厚を厚くしてもよい。膜厚が厚いほど放射線の遮蔽能力が向上する。
【００１８】
このように、本発明の実施形態では、バインダー樹脂に沈降性硫酸バリウムを混ぜて塗料組成物を生成し、放射線遮蔽に用いたい対象物に対して塗布し、乾燥させて塗膜にする。つまり、塗料生成物の沈降性硫酸バリウムにて放射線を遮蔽する。
【００１９】
このように、本発明の実施形態によれば、放射線遮蔽塗料は、塗料生成物の沈降性硫酸バリウムにて放射線を遮蔽するので、放射線遮蔽に用いたい対象物に対して塗布するだけで放射線を遮蔽できる。また、沈降性硫酸バリウムは顔料として使用されているので、沈降性硫酸バリウムを充填剤とする塗料生成物の生成も容易にできる。
【００２０】
また、防護服に本発明の放射線遮蔽塗料を塗布した場合には、鉛やタングステンといった遮蔽剤を使用する必要がなくなるので、作業性が向上するだけでなく安価となる。
【００２１】
以上述べた実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。